【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
キャリアアグリゲーション回路であって、
入力ノードと、共通ノードと、出力ノードと、
第１の周波数帯での動作を可能にするように構成された第１のフィルタと、
第２の周波数帯での動作を可能にするように構成された第２のフィルタと、
前記入力ノードと前記出力ノードとの間に実装された第１の増幅経路とを備え、前記第１の増幅経路は、前記第１のフィルタと、そのベースを通して信号を受け、かつ、そのコレクタを通して出力を生成するように構成されたバイポーラ接合トランジスタとして実装された第１の電流変換器段と、前記共通ノードと、共有バイポーラ接合トランジスタとして実装された共通加算器段とを含み、前記第１の増幅経路には実質的にスイッチがなく、
前記入力ノードと前記出力ノードとの間に実装された第２の増幅経路を備え、前記第２の増幅経路は、前記第２のフィルタと、そのベースを通して信号を受け、かつそのコレクタを通して出力を生成するように構成されたバイポーラ接合トランジスタとして実装された第２の電流変換器段と、前記共通ノードと、前記共通加算器段とを含み、前記第２の増幅経路には実質的にスイッチがなく、前記共有バイポーラ接合トランジスタは、そのエミッタを通して、前記第１の電流変換器段および前記第２の電流変換器段の前記バイポーラ接合トランジスタから出力された信号を受け、そのコレクタを通して出力を生成し、前記第１の電流変換器段、前記第２の電流変換器段および前記共通加算器段は、低雑音増幅器の一部である、キャリアアグリゲーション回路。
【請求項２】
前記第１の増幅経路および前記第２の増幅経路に実質的にスイッチがないことにより、前記キャリアアグリゲーション回路は雑音指数が減じられた状態で動作することができる、請求項１に記載のキャリアアグリゲーション回路。
【請求項３】
前記第１の電流変換器段および前記第２の電流変換器段の前記バイポーラ接合トランジスタに結合されたバイアス回路をさらに備え、前記バイアス回路は、それぞれのバイアスノードとそれぞれの前記ベースとの間に、切替可能なバイアス供給経路を含み、前記切替可能なバイアス供給経路は、オンまたはオフされることによってそれぞれの前記バイポーラ接合トランジスタをアクティブ化または非アクティブ化することができるように構成される、請求項１に記載のキャリアアグリゲーション回路。
【請求項４】
前記バイアス回路はさらに、それぞれの前記バイポーラ接合トランジスタが非アクティブ化されたときに分路を与えるように構成された切替可能な分路を含む、請求項３に記載のキャリアアグリゲーション回路。
【請求項５】
前記第１の電流変換器段および前記第２の電流変換器段各々の前記バイポーラ接合トランジスタは、インダクタンスを通して接地に結合されたエミッタを含む、請求項１に記載のキャリアアグリゲーション回路。
【請求項６】
前記共有バイポーラ接合トランジスタは、そのベースを通してカスコードバイアス電圧を受けるように構成される、請求項１に記載のキャリアアグリゲーション回路。
【請求項７】
前記第１の増幅経路および前記第２の増幅経路は各々、アクティブ状態または非アクティブ状態になることにより、前記第１の増幅経路および前記第２の増幅経路に沿う個別のスイッチなしで、前記キャリアアグリゲーション回路をキャリアアグリゲーションモードまたは非キャリアアグリゲーションモードで動作させることができる、請求項１に記載のキャリアアグリゲーション回路。
【請求項８】
前記第１の増幅経路および前記第２の増幅経路各々のアクティブ状態または非アクティブ状態は、それぞれの第１段をアクティブ化または非アクティブ化することによって得られる、請求項７に記載のキャリアアグリゲーション回路。
【請求項９】
高周波モジュールであって、
複数の構成要素を支持するように構成された実装基板と、
前記実装基板上に実装されたキャリアアグリゲーション回路とを備え、前記キャリアアグリゲーション回路は、入力ノードと、共通ノードと、出力ノードとを含み、
前記キャリアアグリゲーション回路は、さらに、第１の周波数帯での動作を可能にするように構成された第１のフィルタと、第２の周波数帯での動作を可能にするように構成された第２のフィルタとを含み、前記キャリアアグリゲーション回路はさらに前記入力ノードと前記出力ノードとの間に実装された第１の増幅経路を含み、前記第１の増幅経路は、前記第１のフィルタと、そのベースを通して信号を受け、かつ、そのコレクタを通して出力を生成するように構成されたバイポーラ接合トランジスタとして実装された第１の電流変換器段と、前記共通ノードと、共有バイポーラ接合トランジスタとして実装された共通加算器段とを含み、前記第１の増幅経路には実質的にスイッチがなく、前記キャリアアグリゲーション回路はさらに前記入力ノードと前記出力ノードとの間に実装された第２の増幅経路を含み、前記第２の増幅経路は、前記第２のフィルタと、そのベースを通して信号を受け、かつそのコレクタを通して出力を生成するように構成されたバイポーラ接合トランジスタとして実装された第２の電流変換器段と、前記共通ノードと、前記共通加算器段とを含み、前記第２の増幅経路には実質的にスイッチがなく、前記共有バイポーラ接合トランジスタは、そのエミッタを通して、前記第１の電流変換器段および前記第２の電流変換器段の前記バイポーラ接合トランジスタから出力された信号を受け、そのコレクタを通して出力を生成し、前記第１の電流変換器段、前記第２の電流変換器段および前記共通加算器段は、低雑音増幅器の一部である、高周波モジュール。
【請求項１０】
前記第１のフィルタおよび前記第２のフィルタは各々表面弾性波フィルタを含む、請求項９に記載の高周波モジュール。
【請求項１１】
前記高周波モジュールはダイバーシティ受信モジュールである、請求項１０に記載の高周波モジュール。
【請求項１２】
無線装置であって、
高周波信号を処理するように構成された受信機と、
前記受信機と通信するモジュールとを備え、前記モジュールは、前記高周波信号をルーティングするように構成されたキャリアアグリゲーション回路を含み、前記キャリアアグリゲーション回路は、入力ノードと、共通ノードと、出力ノードとを含み、前記キャリアアグリゲーション回路は、さらに、第１の周波数帯での動作を可能にするように構成された第１のフィルタと第２の周波数帯での動作を可能にするように構成された第２のフィルタとを含み、前記キャリアアグリゲーション回路はさらに、前記入力ノードと前記出力ノードとの間に実装された第１の増幅経路を含み、前記第１の増幅経路は、前記第１のフィルタと、そのベースを通して信号を受け、かつ、そのコレクタを通して出力を生成するように構成されたバイポーラ接合トランジスタとして実装された第１の電流変換器段と、前記共通ノードと、共有バイポーラ接合トランジスタとして実装された共通加算器段とを含み、前記第１の増幅経路には実質的にスイッチがなく、前記キャリアアグリゲーション回路はさらに、前記入力ノードと前記出力ノードとの間に実装された第２の増幅経路を含み、前記第２の増幅経路は、前記第２のフィルタと、そのベースを通して信号を受け、かつそのコレクタを通して出力を生成するように構成されたバイポーラ接合トランジスタとして実装された第２の電流変換器段と、前記共通ノードと、前記共通加算器段とを含み、前記第２の増幅経路には実質的にスイッチがなく、前記共有バイポーラ接合トランジスタは、そのエミッタを通して、前記第１の電流変換器段および前記第２の電流変換器段の前記バイポーラ接合トランジスタから出力された信号を受け、そのコレクタを通して出力を生成し、前記第１の電流変換器段、前記第２の電流変換器段および前記共通加算器段は、低雑音増幅器の一部であり、
前記無線装置はさらに、前記モジュールと通信するアンテナを備え、前記アンテナは高周波信号を受信するように構成される、無線装置。
【請求項１３】
前記アンテナはダイバーシティアンテナを含み、前記モジュールはダイバーシティ受信モジュールを含む、請求項１２に記載の無線装置。
【請求項１４】
前記高周波信号を前記ダイバーシティアンテナから前記受信機にルーティングするように構成されたアンテナスイッチモジュールをさらに備え、前記ダイバーシティ受信モジュールは前記ダイバーシティアンテナと前記アンテナスイッチモジュールとの間に実装される、請求項１３に記載の無線装置。